(57)【特許請求の範囲】
【請求項１】
あらかじめデータが記録された既記録領域と、記録可能で第１のクロック同期用マークおよび第１のアドレス情報が記録された記録可能領域と、前記既記録領域と前記記録可能領域の間に位置し、所定の長さを有する同期領域とを備えた光ディスクであって、
前記同期領域は、前記第１のクロック同期用マークおよび前記第１のアドレス情報とそれぞれ同一構造の第２のクロック同期用マークおよび第２のアドレス情報が記録され、
前記同期領域は、前記記録可能領域にデータを記録するための記録クロックを、前記第２のクロック同期用マークの再生信号に同期させるための領域であり、
前記同期領域に設けられた第２のアドレス情報は記録する位置の情報を含み、
前記第１のクロック同期用マークと前記第２のクロック同期用マークは情報トラックにそれぞれ周期的な蛇行として連続的に設けられ、
前記第１のアドレス情報と前記第２のアドレス情報は前記記録可能領域と前記同期領域の情報トラックの蛇行の頂点に設けられ、
さらに、前記同期領域の径方向の幅は、前記光ディスクの情報トラックが４本位置する領域の径方向の幅以上である、ことを特徴とする光ディスク。
【請求項２】
前記既記録領域にあらかじめ記録されている前記データは、前記光ディスクの所定の特徴を示す情報を含む、請求項１に記載の光ディスク。
【発明の詳細な説明】
【０００１】
（技術分野）
本発明は、光ディスク、特にあらかじめデータが記録された既記録領域と記録可能なデータ領域とを有する書き換え可能型光ディスクに関する。
【０００２】
（背景技術）
図７、図８Ａおよび図８Ｂは、従来の記録可能な光ディスクの構成を示す。図７において光ディスク７１０には既記録領域７０１および記録可能領域７０３がそれぞれ一つ以上存在する。既記録領域７０１は情報が凹凸で記録された改竄不可能な領域、記録可能領域７０３はグルーブ構造である領域である。
【０００３】
図８Ａは既記録領域７０１の構成を、図８Ｂは記録可能領域７０３の情報トラックの構成を示した図である。図８Ａおよび図８Ｂに示すように既記録領域７０１および記録可能領域７０３の情報トラック８０１および８０２は蛇行しており、この蛇行周波数成分を抽出することにより情報を記録可能領域７０３に記録する際に用いる記録クロックを同期させることができる。また、図８Ａおよび図８Ｂに示す情報トラック間にはアドレス情報８０４および８０３が埋め込まれている。
【０００４】
アドレス情報（例えばアドレス情報８０３および８０４）は、１ＥＣＣブロック単位に同期して埋め込まれており、このアドレス情報からアドレス信号を検出することにより、光ディスク上の再生している位置を知ることができる。また、この検出されたアドレス信号に同期して情報の記録を行うことにより、ＥＣＣブロック単位に同期して情報の記録を行うことができる。アドレス信号に関する技術はＤＶＤ−Ｒ規格書等に記述されている。
【０００５】
図９は、従来の光ディスク記録装置９００を示す。光ディスク記録装置９００は、ヘッドユニット９０２と、記録クロック同期信号生成部（ＲＣＳＳ）９０３と、記録クロック（ＲＣ）生成部９０４と、データ記録部９０５と、アドレス検出部９０６と、記録制御部９０７と、トラッキングエラー信号（ＴＥＳ）生成部９０８と、サーボ制御部９１１と、アクセス制御部９１２とを備える。光ディスク９０１はディスクモータ（図示せず）により回転される。
【０００６】
ヘッドユニット９０２より出射された光ビームは光ディスク９０１で反射され、ヘッドユニット９０２は光ビームの反射光に応じた信号を出力する。トラッキングエラー信号生成部９０８はヘッドユニット９０２の出力に基づき光ビームの収束点と情報トラックとの位置ずれを示すトラッキングエラー信号を出力する。サーボ制御部９１１はトラッキングエラー信号生成部９０８より出力されたトラッキングエラー信号に基づき光ビームの収束点が情報トラック上に位置するようにヘッドユニット９０２の位置及びヘッドユニット９０２に取り付けられた収束レンズ（不図示）を制御する。
【０００７】
記録クロック同期信号生成部９０３は情報トラックの蛇行周波数成分を抽出するためのものであり、記録クロック生成部９０４は記録クロックが前記周波数成分の逓倍になるように制御する。また、アドレス検出部９０６は、ヘッドユニット９０２により再生された再生信号を受け取り、図８Ａおよび８Ｂに示されるアドレス情報８０４および８０３からアドレスを検出するためのものであり、記録制御部９０７はアドレス検出部９０６が検出したアドレスによりデータ記録を開始および停止する信号を生成するためのものであり、データ記録部９０５は記録制御部９０７の信号に従って記録クロック生成部９０４により生成された記録クロックに同期して記録するデータをヘッドユニット９０２に送出し、光ディスク９０１の情報トラック上にデータを記録するためのものである。
【０００８】
図１０は従来の光ディスク記録装置９００における既記録領域７０１直後の記録可能領域７０３に記録を行う場合の記録動作を示すフローチャートである。図１０に示すように既記録領域７０１直後の記録可能領域７０３に記録を行う場合、Ｓ１００１でアクセス制御部９１２は既記録領域７０１へのアクセス指令をサーボ制御部９１１に送り、サーボ制御部９１１の指令によってヘッドユニット９０２が光ディスク９０１の径方向に送られてヘッドユニット９０２が光ディスク９０１上の既記録領域７０１に位置する。
【０００９】
Ｓ１００２にて記録クロック同期信号生成部９０３は既記録領域７０１上の情報トラックの蛇行周波数成分を抽出し、記録クロック生成部９０４は記録クロックが前記周波数成分の逓倍になるように制御する。
【００１０】
Ｓ１００３にてアドレス検出部９０６は再生信号より光ディスク９０１上のアドレスを検出し、記録制御部９０７はアドレス検出部９０６が検出したアドレスにより光ビームが既記録領域７０１直後の記録可能領域７０３に達するのを待つ。
【００１１】
光ビームのフォーカススポットが記録可能領域７０３に達すればＳ１００４に進み、記録制御部９０７はデータ記録部９０５に信号を送出し、データ記録部９０５は記録制御部９０７の信号により記録クロック生成部９０４により生成された記録クロックに同期して記録するデータをヘッドユニット９０２に送出し、光ディスク９０１の情報トラック上にデータを記録する。
【００１２】
近年、記録可能な光ディスクが普及しているが、著作権保護の観点などから光ディスク固有の情報を改竄不可能な既記録領域に記録する光ディスクが提案されている。
【００１３】
このような光ディスクでは、既記録領域には、安定に光ディスク固有情報を再生するために、記録クロック同期用の情報（即ち上述の情報トラック８０１および８０２の蛇行）は存在しない。そのため、従来の光ディスク、光ディスク記録装置では既記録領域直後の記録可能領域に記録する場合、既記録領域に記録クロック同期用の情報がないため記録クロックを所定の周波数に引き込むことができず、そのため記録可能領域の先頭部分に記録を行うことができないという課題がある。
【００１４】
（発明の開示）
本発明の１つの局面によれば、光ディスクは、あらかじめデータが記録された既記録領域と、記録可能で第１のクロック同期用マークおよび第１のアドレス情報が記録された記録可能領域と、前記既記録領域と前記記録可能領域の間に位置し、所定の長さを有する同期領域とを備えた光ディスクであって、前記同期領域は、前記第１のクロック同期用マークおよび前記第１のアドレス情報とそれぞれ同一構造の第２のクロック同期用マークおよび第２のアドレス情報が記録され、前記同期領域は、前記記録可能領域にデータを記録するための記録クロックを、前記第２のクロック同期用マークの再生信号に同期させるための領域であり、前記同期領域に設けられた第２のアドレス情報は記録する位置の情報を含み、前記第１のクロック同期用マークと前記第２のクロック同期用マークは情報トラックにそれぞれ周期的な蛇行として連続的に設けられ、前記第１のアドレス情報と前記第２のアドレス情報は前記記録可能領域と前記同期領域の情報トラックの蛇行の頂点に設けられ、さらに、前記同期領域の径方向の幅は、前記光ディスクの情報トラックが４本位置する領域の径方向の幅以上である、ことを特徴とする。
【００１８】
上記既記録領域にあらかじめ記録されている上記データは、上記光ディスクの所定の特徴を示す情報を含んでもよい。
【００３６】
従って、本発明は、既記録領域に記録クロック同期用情報がなくても安定に記録可能領域の先頭より情報を記録することができる光ディスクを提供することができるという利点を有する。
【００３７】
本発明の上記の利点および他の利点は、図面を参照しつつ以下の詳細な説明を読むことにより当業者によりよく理解される。
【００３８】
（発明を実施するための最良の形態）
以下、本発明の実施の形態について説明する。
【００３９】
（実施の形態１）
図１、図２Ａ、図２Ｂおよび図２Ｃを参照して本発明の実施の形態１における光ディスク１１０について説明する。
【００４０】
図１は光ディスク１１０を示す。光ディスク１１０は、製造時にあらかじめ凹凸状の情報データが記録され、改竄不可能な既記録領域１０１、少なくともクロック同期用マークとアドレス情報とを有するグルーブ構造でデータを記録することができる記録可能領域１０３が設けられており、また既記録領域１０１とその直後の記録可能領域１０３の間に少なくともクロック同期用マークとアドレス情報とを有する記録クロック同期（ＲＣＳ）領域１０２が設けられている。本実施の形態の記録クロック同期領域１０２にはデータの記録が行われない。
【００４１】
同期領域である記録クロック同期領域１０２は、記録可能領域１０３にデータを記録するための記録クロックを、記録クロック同期領域１０２のクロック同期用マークの再生信号に同期させるための領域である。
【００４２】
本発明の理解を容易にするために図１では示されていないが、後述するように、既記録領域１０１、記録クロック同期領域１０２および記録可能領域１０３上の情報トラックはスパイラル状に形成される。
【００４３】
記録可能領域１０３の情報トラック上への情報の書込みは情報トラック上に光ビームを収束照射し、記録層に光吸収による局部的な熱変化あるいは光化学変化を誘起させることによって行われる。
【００４４】
図２Ａおよび図２Ｂは光ディスク１１０の情報トラックを示す。図２Ｂは記録クロック同期領域１０２及び記録可能領域１０３の情報トラックを示したものであり、図２Ｂにおいて情報トラック２０２は、記録されるデータの周波数成分とは異なった周波数でクロック同期用マークとして蛇行しており、情報トラック２０２の蛇行周波数は記録クロックの数十から数百分の一になっている。情報を記録する際には、この蛇行周波数成分をクロック同期信号として検出して、記録クロックをこの蛇行周波数の逓倍の周波数となるように制御し、記録クロックに同期させた記録データを光ディスク１１０の記録可能領域１０３上に記録する。
【００４５】
図２Ａは既記録領域１０１上の情報トラック２０１を示す。図２Ａに示すように情報トラック２０１は蛇行していない。後述するように、既記録領域１０１上の情報トラック２０１は蛇行していてもよい。
【００４６】
図２Ｃは、既記録領域１０１、記録クロック同期領域１０２および記録可能領域１０３上の情報トラック２０１および２０２を示す。情報トラック２０１および２０２はスパイラル状に形成され、図２Ｃに示されるように互いに接続されている。
【００４８】
また、記録クロック同期領域１０２及び記録可能領域１０３の情報トラック２０２の間には光ディスク１１０上の位置を示すアドレス情報２０３（図２Ｃに複数個示す）があらかじめ記録されている。記録する際にはこのアドレス情報２０３により光ディスク１１０上の位置を知ることができる。図２Ｂに示されるように、アドレス情報２０３は、情報トラック２０２の蛇行形状の頂点に配置され得る。
【００４９】
記録可能領域１０３に記録を行うためには記録クロックが所定の周波数に同期されていなければならないが、既記録領域１０１には記録クロック同期用の情報がないため、既記録領域１０１の後に配置されている記録可能領域１０３に記録する場合は、記録クロック同期領域１０２にて情報トラック２０２の蛇行周波数成分を検出して記録クロックを蛇行周波数成分に同期させ、アドレス情報２０３により光ビームの収束点の位置がスパイラル状の情報トラックを移動して記録クロック同期領域１０２から記録可能領域１０３上に来たことを検出して記録を開始する。
【００５０】
ここで記録クロック同期領域１０２は、光ビームの収束点が記録クロック同期領域１０２に位置してから記録クロック同期領域１０２上のスパイラル状の情報トラック２０２を移動して次の記録可能領域に位置するまでの時間が、光ビームの収束点が記録クロック同期領域１０２に位置してから記録クロックが情報トラック２０２の蛇行周波数の逓倍に制御されるまでの時間以上になるような長さに設定されている。例えば、記録クロック同期領域１０２の径方向の幅は、光ディスク１１０の情報トラック２０２が４本位置する領域の径方向の幅以上である。
【００５１】
このようにすれば、あらかじめ記録クロックを記録クロック同期領域１０２で所定の周波数になるように制御するため記録可能領域１０３の先頭より記録データを記録することが可能となる。
【００５２】
以下、参考例について説明する。図１１Ａおよび図１１Ｂを参照して、本発明の光ディスク１１０とあらかじめ全ての領域が記録されており改竄不可能な所定の再生専用光ディスク１１０’とのユーザデータ領域の互換の確保について説明する。図１１Ａは再生専用光ディスク１１０’の半径方向に対する各領域の配置を示し、図１１Ｂは本発明の光ディスク１１０の半径方向に対する各領域の配置を示す。
【００５３】
図１１Ｂに示される光ディスク１１０では、既記録領域１０１は、制御データ１１０５（すなわち光ディスク１１０の所定の特徴を示すディスク固有情報）、例えば光ディスク１１０の大きさや、光ディスク１１０が記録可能もしくは再生専用等の情報を記録した制御データ領域１１０４を含む。既記録領域１０１と記録可能領域１０３の間に記録クロック同期領域１０２が設けられる。記録可能領域１０３は、ユーザデータ領域１１０７と、ユーザデータ領域１１０７と制御データ領域１１０４の間の緩衝領域１１０６として用いられる。図１１Ａに示すように、あらかじめ全ての領域が記録されており改竄不可能な所定の再生専用光ディスク１１０’は、制御データ領域１１０１、緩衝領域１１０２、ユーザデータ領域１１０３を備える。再生専用光ディスク１１０’のユーザデータ領域１１０３の開始半径位置ｘ２と本発明の光ディスク１１０のユーザデータ領域１１０７の開始半径位置ｘ４とを同じにすることにより、ユーザデータ領域１１０３および１１０７の互換性を確保することが出来る。
【００５４】
上記の場合、ユーザデータ領域１１０３および１１０７の開始半径位置ｘ２およびｘ４は同じままで、本発明の光ディスク１１０の緩衝領域１１０６の開始半径位置ｘ３と所定の再生専用光ディスク１１０’の緩衝領域１１０２の開始半径位置ｘ１とを同じ位置にすることにより、緩衝領域１１０２および１１０６の互換性を確保することができる。
【００５５】
上記の場合、ユーザデータ領域１１０３および１１０７の開始半径位置ｘ２およびｘ４は同じままで本発明の光ディスク１１０の緩衝領域１１０６の開始半径位置ｘ３を再生専用光ディスク１１０’の緩衝領域１１０２の開始半径位置ｘ１より小さく（すなわち内側に）して、緩衝領域１１０６の幅をユーザデータ領域１１０７の先頭にアクセスする際のアクセス誤差以上の幅に設定すれば、ユーザデータ領域１１０７にアクセスする際にアクセス誤差により光ビームの収束点が未記録である記録クロック同期領域１０２に位置することをなくすことが出来るという作用を有する。
【００５６】
この場合、位相差トラッキングエラー信号を用いてトラッキング制御を行うような光ディスク再生装置においても、未記録領域である記録クロック同期領域１０２に光ビームの収束点が位置して位相差トラッキングエラー信号が出ず、トラッキングサーボ制御ができずに異常状態に陥ることを防止することが出来るという作用を有する。
【００５７】
図１２Ａおよび図１２Ｂを参照して、本発明の光ディスク１１０とあらかじめ全ての領域が記録されており改竄不可能な再生専用光ディスク１１０’とのユーザデータ領域の互換の確保についての別の形態を説明する。図１２Ａは再生専用光ディスク１１０のアドレス位置に対する各領域の配置を示した図であり、図１２Ｂは本発明の光ディスクのアドレス位置に対する各領域の配置を示した図である。
【００５８】
図１２Ｂに示される光ディスク１１０では、既記録領域１０１は、制御データ１１０５（すなわち光ディスク１１０の所定の特徴を示すディスク固有情報）、例えば光ディスクの大きさや、光ディスクが記録可能もしくは再生専用等の情報を記録した制御データ領域１２０４を含む。既記録領域１０１と記録可能領域１０３の間に記録クロック同期領域１０２が設けられる。記録可能領域１０３は、ユーザデータ領域１２０７と、ユーザデータ領域１２０７と制御データ領域１２０４の間の緩衝領域１２０６として用いられる。図１２Ａに示すように、あらかじめ全ての領域が記録されており改竄不可能な再生専用光ディスク１１０’は、制御データ領域１２０１、緩衝領域１２０２、ユーザデータ領域１２０３を備える。再生専用光ディスク１１０’のユーザデータ領域１２０３の開始アドレスＡ２と本発明の光ディスク１１０のユーザデータ領域１２０７の開始アドレスＡ４とを同じにすることにより、ユーザデータ領域１２０３および１２０７の互換性を確保することが出来るという作用を有する。
【００５９】
上記の場合、ユーザデータ領域１２０３および１２０７の開始アドレスＡ２およびＡ４は同じままで、本発明の光ディスクの緩衝領域１２０６の開始アドレスＡ３と所定の再生専用光ディスクの緩衝領域１２０２の開始アドレスＡ１とを同じにすることにより、緩衝領域１２０２および１２０６の互換性を確保することができる。
【００６０】
上記の場合、ユーザデータ領域１２０３および１２０７の開始アドレスＡ２およびＡ４は同じままで、本発明の光ディスク１１０の緩衝領域１２０６の開始アドレスＡ３を再生専用光ディスク１１０’の緩衝領域１２０２の開始アドレスＡ１より小さく（すなわち内側に）して緩衝領域１２０６の幅をユーザデータ領域１２０７の先頭にアクセスする際のアクセス誤差以上の幅に設定すれば、光ビームの収束点が未記録である記録クロック同期領域１０２に位置することをなくすことが出来るという作用を有する。
【００６１】
この場合、位相差トラッキングエラー信号を用いてトラッキング制御を行うような光ディスク再生装置においても、未記録領域である記録クロック同期領域１０２に光ビームの収束点が位置して位相差トラッキングエラー信号が出ず、トラッキングサーボ制御ができずに異常状態に陥ることを防止することが出来るという作用を有する。（以上、参考例）
【００６２】
なお、ここでは既記録領域１０１上の情報トラック２０１は蛇行していないとしたが、情報トラック２０１が蛇行している場合でも、情報トラック２０１にアドレス情報２０３がなく、アドレス情報２０３で情報を記録するタイミングを取る必要がある場合には本発明が有効である。
【００６３】
既記録領域１０１、記録クロック同期領域１０２および記録可能領域１０３は、所定の周期ごとに光ディスク１１０上にそれぞれ複数設けられてもよい。
【００６４】
（参考例）
図１、図３及び図４を参照して、本発明の参考例における光ディスク記録装置３００について説明する。
【００６５】
図３は、本発明の参考例の光ディスク記録装置３００のブロック図である。光ディスク記録装置３００は、変換手段であるヘッドユニット３０２と、記録クロック同期信号（ＲＣＳＳ）再生部３０３と、記録クロック（ＲＣ）生成部３０４と、データ記録部３０５と、アドレス検出部３０６と、記録制御部３０７と、位相差トラキングエラー信号生成部３０８と、プッシュプルトラッキングエラー信号生成部３０９と、セレクタ３１０と、サーボ制御部３１１と、アクセス制御部３１２とを備える。
【００６６】
図３を参照して、ディスク半径方向に可動になっているヘッドユニット３０２より出射された光ビームは、光ディスク３０１で反射され、ヘッドユニット３０２は光ビームの反射光に応じた信号３０２’を出力する。光ディスク３０１は図１に示す光ディスク１１０と同一の光ディスクである。位相差トラキングエラー信号生成部３０８およびプッシュプルトラッキングエラー信号生成部３０９は、ヘッドユニット３０２の出力（信号３０２’）より、光ビームの収束点と情報トラック２０１または２０２との位置ずれを示す位相差トラッキングエラー信号３０８’とプッシュプルトラッキングエラー信号３０９’とをそれぞれ出力する。
【００６７】
サーボ制御部３１１は、光ビームの収束点が既記録領域１０１に位置している場合には位相差トラッキングエラー信号３０８’を、グルーブ構造の記録可能領域１０３に位置している場合にはプッシュプルトラッキングエラー信号３０９’を選択するようにセレクタ３１０に信号３１１”を出力し、セレクタ３１０は位相差トラッキングエラー信号３０８’もしくはプッシュプルトラッキングエラー信号３０９’を選択してサーボ制御部３１１に出力する。サーボ制御部３１１はセレクタ３１０の出力に基づき光ビームの収束点が情報トラック２０１または２０２上に位置するようにヘッドユニット３０２の位置及びヘッドユニット３０２に取り付けられた収束レンズ（不図示）の位置をトラッキング制御する。
【００６８】
記録クロック同期信号再生部３０３は、ヘッドユニット３０２の出力より記録クロック同期領域１０２上および記録可能領域１０３上の情報トラック２０２の蛇行周波数成分を抽出する。記録クロック生成部３０４は、記録クロック同期信号再生部３０３の出力（信号３０３’）に基づき記録クロックが前記蛇行周波数成分の逓倍になるように制御する。アドレス検出部３０６は、ヘッドユニット３０２の出力より光ディスク３０１上の図２Ｂに示されるアドレス情報２０３からアドレス信号３０６’を検出する。記録制御部３０７はデータ記録部３０５の記録動作を制御し、光ディスク３０１の記録開始位置（例えば図１１Ｂおよび図１２Ｂに示される開始半径位置ｘ３および開始アドレスＡ３）および記録終了位置（例えば図１１Ｂおよび図１２Ｂに示される終了半径位置ｘ５および終了アドレスＡ５）を制御する。データ記録部３０５は、記録クロック生成部３０４により生成された記録クロックに同期させて記録するデータ３０５’を、記録制御部３０７の信号３０７’により、ヘッドユニット３０２に送出し、ヘッドユニット３０２は光ディスク３０１の情報トラック２０２上にデータ３０５’を記録する。
【００６９】
図４は、光ディスク３０１上の既記録領域１０１の後に配置された記録可能領域１０３に記録する場合のフローチャートを示している。
【００７０】
Ｓ４０１にてアクセス制御部３１２からサーボ制御部３１１に図１における既記録領域１０１直後の記録クロック同期領域１０２へのアクセス指令（信号３１２’）が出され、サーボ制御部３１１の指令（信号３１１’）によってヘッドユニット３０２が光ディスク３０１の径方向に送られて光ビームの収束点が光ディスク３０１上の記録クロック同期領域１０２に位置される。このとき、サーボ制御部３１１は、セレクタ３１０に指令を送りプッシュプルトラッキングエラー信号生成部３０９の出力であるプッシュプルトラッキングエラー信号３０９’を選択してこれに基づいて光ビームの収束点が記録クロック同期領域１０２の情報トラック２０２上に位置するように制御する。
【００７１】
この状態で、Ｓ４０２にて記録クロック同期信号再生部３０３はヘッドユニット３０２の信号３０２’から記録クロック同期領域１０２上の情報トラックの蛇行周波数成分をクロック同期信号３０３’として抽出し、記録クロック生成部３０４は記録クロック同期信号再生部３０３から出力されるクロック同期信号３０３’に基づき記録クロックが蛇行周波数成分の逓倍になるように制御する。
【００７２】
Ｓ４０３にてアドレス検出部３０６はヘッドユニット３０２の出力（信号３０２’）より光ディスク３０１上のアドレスを示すアドレス信号３０６’を検出し、記録制御部３０７は光ビームの収束点がスパイラル状の情報トラック２０２を移動して記録クロック同期領域１０２直後の記録可能領域１０３に達するのを待つ。記録可能領域１０３に達すると、Ｓ４０４にて記録制御部３０７はデータ記録部３０５に信号３０７’を送出する。データ記録部３０５は、記録制御部３０７の信号３０７’により、記録クロック生成部３０４により生成された記録クロック信号３０４’に同期して記録するデータ３０５’をヘッドユニット３０２に送出し、記録可能領域１０３上の情報トラック２０２にデータ３０５’を記録する。
【００７３】
この場合、既記録領域１０１で記録クロックを同期させることができないような光ディスク３０１においても記録を開始するまでに記録クロックを同期することができ、記録可能領域の先頭から安定に記録を行うことができる。
【００７４】
なお、既記録領域１０１の制御データ領域１１０４および１２０４（図１１Ｂおよび図１２Ｂ）の制御データ１１０５として記録クロック同期領域１０２の開始位置情報が記録されているような光ディスク３０１に情報を記録する場合、あらかじめ位相差トラッキングエラー信号３０８’を用いて既記録領域１０１を再生して記録クロック同期領域１０２の開始位置情報をディスク記録装置３００内に保存する。
【００７５】
既記録領域１０１直後の記録可能領域１０３に記録する場合は、保存した開始位置情報に基づいて記録クロック同期領域１０２にアクセスして記録クロック信号を同期させ、この記録クロック同期領域１０２につづく記録可能領域１０３の記録開始位置（例えば図１１Ｂおよび図１２Ｂに示される開始半径位置ｘ３および開始アドレスＡ３）から記録可能領域１０３への記録が行なわれれば、記録クロック同期領域１０２の位置が異なる光ディスクそれぞれにおいても、記録制御部３０７が記録開始位置を切り替えることにより安定に記録を行うことができる。
【００７６】
また、既記録領域１０１の制御データ１１０５を再生した際に、制御データ１１０５の一部としてクロック同期信号３０３’及びアドレス信号３０６’が検出され、既記録領域１０１直後の記録可能領域１０３にデータ３０５’を記録する場合には、データ記録部３０５は同期動作として、既記録領域１０１の再生中に記録クロック信号３０４’と記録させるデータ３０５’とを同期させ、その後、データ３０５’の記録を行っても良い。この場合は、従来の光ディスクもデータ３０５’を記録することができる。
【００７７】
また、既記録領域１０１に制御データ１１０５として記録クロック同期領域１０２の有無が記録されているような光ディスク３０１に記録する場合、あらかじめ既記録領域１０１を再生して記録クロック同期領域１０２の有無を判別し、記録クロック同期動作を行うための記録クロック同期領域１０２の再生をするか否かに応じてサーボ制御部３１１がヘッドユニット３０２をオンオフするようにすれば、記録クロック同期領域１０２がない光ディスクにも対応することができる。
【００７８】
なお、プッシュプルトラッキングエラー信号の代わりに他の形式のトラッキングエラー信号、例えば差動プッシュプル（ＤＰＰ）トラッキングエラー信号を用いてもよい。
【００７９】
図１、図５及び図６を参照して、本発明の参考例の光ディスク再生装置５００について説明する。
【００８０】
図５は、本発明の参考例の光ディスク再生装置５００のブロック図である。光ディスク再生装置５００は、変換手段であるヘッドユニット５０２と、再生クロック生成部５０４と、データ再生部５０５と、アドレス検出部５０６と、再生制御部５０７と、トラッキングエラー信号（ＴＥＳ）生成部５０８と、サーボ制御部５１１と、アクセス制御部５１２とを備える。
【００８１】
図５を参照して、ヘッドユニット５０２より出射された光ビームは光ディスク５０１で反射され、ヘッドユニット５０２は光ビームの反射光に応じた信号５０２’を出力する。光ディスク５０１は光ディスク１１０と同一の光ディスクである。トラッキングエラー信号生成部５０８は、ヘッドユニット５０２の出力（信号５０２’）に基づき光ビームの収束点と情報トラック２０１または２０２との位置ずれを示すトラッキングエラー信号５０８’を出力する。サーボ制御部５１１はトラッキングエラー信号生成部５０８より出力されたトラッキングエラー信号５０８’に基づき光ビームの収束点が情報トラック２０１または２０２上に位置するようにヘッドユニット５０２の位置及びヘッドユニット５０２に取り付けられた収束レンズ（不図示）の位置をトラッキング制御する。
【００８２】
再生クロック生成部５０４は、ヘッドユニット５０２の出力（信号５０２’）に基づき再生クロック５０４’を生成する。アドレス検出部５０６は、ヘッドユニット５０２及び再生クロック生成部５０４より出力される信号５０２’および再生クロック信号５０４’より光ディスク５０１上のアドレスをアドレス信号５０６’として検出する。データ再生部５０５は、ヘッドユニット５０２、再生クロック生成部５０４及び再生制御部５０７から出力される信号５０２’、再生クロック信号５０４’および信号５０７’に基づき光ディスク５０１上のデータを再生する。再生制御部５０７は、データ再生部５０５の再生動作を制御する。
【００８３】
図６は、光ディスク５０１上の既記録領域１０１の後に配置された記録可能領域１０３を再生する場合のフローチャートを示す。
【００８４】
光ディスク５０１を再生する場合、Ｓ６０１にてアクセス制御部５１２からサーボ制御部５１１に、図１に示す既記録領域１０１へのアクセス指令（信号５１２’）が出される。サーボ制御部５１１の指令（信号５１１’）によってヘッドユニット５０２が光ディスク５０１の径方向に送られて光ビームの収束点が光ディスク５０１上の既記録領域１０１に位置される。このとき、サーボ制御部５１１は、トラッキングエラー信号生成部５０８の出力（信号５０８’）に基づいて光ビームの収束点が既記録領域１０１の情報トラック２０１上に位置するように制御する。
【００８５】
Ｓ６０２にて既記録領域１０１の制御データ１１０５をリードして、Ｓ６０３にて、制御データ１１０５に基づき、光ビームの収束点は記録クロック同期領域１０２を飛び越して記録可能領域１０３に移動する。記録クロック同期領域１０２に記録されているデータは再生されない。
【００８６】
記録可能領域１０３に移動した後、Ｓ６０４にて再生クロック生成部５０４で再生クロックをヘッドユニット５０２の出力に同期させる。アドレス検出部５０６は再生クロック信号５０４’とヘッドユニット５０２の出力（信号５０２’）よりアドレスを検出する。再生制御部５０７はアドレス検出部５０６から出力されるアドレス信号５０６’により光ビームの収束点が記録可能領域１０３に設けられたユーザデータ領域に達したことをもってデータ再生部５０５に信号５０７’を出力する。データ再生部５０５は再生制御部５０７の出力（信号５０７’）によりヘッドユニット５０２の出力と再生クロックとに基づいて再生データ５０５’を生成し、再生データ５０５’を出力して記録可能領域１０３のデータの再生を行う。
【００８７】
この場合、既記録領域１０１と記録可能領域１０３との間に記録クロック同期領域１０２があったとしても、記録クロック同期領域１０２を飛び越して再生するため、光ディスク再生専用機でも、記録可能な光ディスク５０１を安定して再生することができる。
【００９０】
なお、光ディスク５０１のデータ領域の開始位置が所定の再生専用光ディスクのデータ領域の開始位置と同じであれば、再生専用光ディスクと同じ手順で光ディスク５０１にアクセスできる。
【００９１】
（産業上の利用可能性）
以上のように、本発明の光ディスクは、既記録領域と記録可能領域の間に記録を行わない記録クロック同期領域を設けることにより、記録可能領域の先頭より安定に記録を行うことができる。
【００９２】
また、本発明の参考例の光ディスク記録装置は、既記録領域と記録可能領域との間に情報の記録を行わない記録クロック同期領域を備えた光ディスクに情報を記録する際に、記録クロック同期領域を再生しながら記録クロックの同期を取った後に、記録可能領域への記録を行うため、記録可能領域の先頭より安定に記録を行うことができる。
【００９３】
また本発明の参考例の光ディスク再生装置は、既記録領域と記録可能領域の間に情報の記録を行わない記録クロック同期領域を備えた光ディスクを再生する際に、記録クロック同期領域を再生しないため、安定に再生を行うことができる。
【００９４】
様々な他の改変例が当業者にとって明らかであり、本発明の範囲および意図から逸脱することなく当業者により実施され得る。従って、特許請求の範囲の規定範囲は広く解釈され、ここで開示される実施形態に限定されない。
【図面の簡単な説明】
【図１】  本発明の実施の形態における光ディスクを示す図
【図２Ａ】  本発明の実施の形態における光ディスクの情報トラックを示す図
【図２Ｂ】  本発明の実施の形態における光ディスクの情報トラックを示す図
【図２Ｃ】  本発明の実施の形態における光ディスクの情報トラックを示す図
【図３】  本発明の参考例における光ディスク記録装置３００を示すブロック図
【図４】  本発明の参考例における光ディスクへの記録動作を示すフローチャート
【図５】  本発明の参考例における光ディスク再生装置５００を示すブロック図
【図６】  本発明の参考例における光ディスクへの再生動作を示すフローチャート
【図７】  従来の光ディスク７１０を示す図
【図８Ａ】  従来の光ディスク７１０の既記録領域７０１の情報トラックを示す図
【図８Ｂ】  従来の光ディスク７１０の記録可能領域７０３の情報トラックを示す図
【図９】  従来の光ディスク記録装置９００を示すブロック図
【図１０】  従来の光ディスクの記録動作を示すフローチャート
【図１１Ａ】  本発明の実施の形態１における再生専用光ディスク１１０’を示す図
【図１１Ｂ】  本発明の実施の形態１における光ディスク１１０を示す図
【図１２Ａ】  本発明の実施の形態における再生専用光ディスク１１０’を示す図
【図１２Ｂ】  本発明の実施の形態における光ディスク１１０を示す図
【図１】
0003961833.tif 000002
【図２Ａ】
0003961833.tif 000003
【図２Ｂ】
0003961833.tif 000004
【図２Ｃ】
0003961833.tif 000005
【図３】
0003961833.tif 000006
【図４】
0003961833.tif 000007
【図５】
0003961833.tif 000008
【図６】
0003961833.tif 000009
【図７】
0003961833.tif 000010
【図８Ａ】
0003961833.tif 000011
【図８Ｂ】
0003961833.tif 000012
【図９】
0003961833.tif 000013
【図１０】
0003961833.tif 000014
【図１１Ａ】
0003961833.tif 000015
【図１１Ｂ】
0003961833.tif 000016
【図１２Ａ】
0003961833.tif 000017
【図１２Ｂ】
0003961833.tif 000018